(57)【要約】【目的】  筆記軸横のクリップ部を筆記部出没操作部としても兼用するサイドノック式のボールペンやシャープペンシルなどの筆記用具において、出没操作の動作を利用して可動する筆記軸頂端部に取付けたキャラクター部材を着脱自在なものとする新規な提案する。【構成】  筆記軸横の操作部によって筆記部３の出没操作を行うサイドノック式のボールペンやシャープペンシルといった筆記用具１において、操作部２の上下ノック操作に起因する動作を筆記軸内部の伝達機構６によって筆記軸頂端に着脱自在として取付けられたキャラクター部材４の内部に設けた動作伝達機構６ａに伝え、それによってキャラクター４に備付けられた可動部５を可動変化できるものとしていることを特徴とする着脱自在な可動キャラクター部材を備えたサイドノック式筆記用具。【選択図】        図１
0003107513.tif 000002
【実用新案登録請求の範囲】
【請求項１】
筆記軸横の操作部によって筆記部の出没操作を行うサイドノック式のボールペンやシャープペンシルといった筆記用具において、操作部の上下ノック操作に起因する動作を筆記軸内部の伝達機構によって筆記軸頂端に着脱自在として取付けられたキャラクター部材の内部に設けた動作伝達機構に伝え、それによってキャラクターに備付けられた可動部を可動変化できるものとしていることを特徴とする着脱自在な可動キャラクター部材を備えたサイドノック式筆記用具。
【請求項２】
キャラクターに備付けられた可動部が複数個あることを特徴とする請求項１に記載の着脱自在な可動キャラクター部材を備えたサイドノック式筆記用具。
【請求項３】
取外されたキャラクター部材が携帯電話等用のマスコットストラップとなるように取付け紐部材をも備えていることを特徴とする請求項１または請求項２に記載の着脱自在な可動キャラクター部材を備えたサイドノック式筆記具。
【考案の詳細な説明】
【技術分野】
【０００１】
本考案は、筆記軸横のクリップ部を筆記部出没操作部としても兼用するサイドノック式のボールペンやシャープペンシルなどの筆記用具において、出没操作の動作を利用して可動する筆記軸頂端部に取付けたキャラクター部材を着脱自在なものとする新規な提案を行うものである。
【背景技術】
【０００２】
筆記軸頂端部に適当なマスコットキャラクターを備付けるために筆記部の出没操作を所謂サイドノック方式で行う筆記用具は一般化しているものである。
【０００３】
また、サイドノック方式による筆記部の出没動作を利用して筆記軸頂端部に取付けたマスコットキャラクターの可動部を可動変化させるような提案も様々になされている。
【０００４】
さらに、携帯電話等に使用するストラップに関してマスコットキャラクターをアクセサリー的に取付け、それに対しても可動変化する構造を採用することも行われているところである。
【特許文献１】登録実用新案第                号公報
【考案の開示】
【考案が解決しようとする課題】
【０００５】
筆記用具の筆記軸頂端にキャラクター部材を取付けてノック動作などを利用して可動させるとしても、該キャラクター部材は固定的に取付けられているのみで、それを自在に取外し、必要に応じて交換可能なものとするような提案はなされていない。
【０００６】
筆記用具の先端キャップのようなものにキャラクター部材を取付ければ着脱可能にはなるが、それでは筆記部の出没操作を利用して可動変化させることは困難である。
【０００７】
可動キャラクター部材はアクセサリー的な用途で携帯電話用ストラップなどにも応用可能であるが、両者を兼ねるような提案も従来技術ではなされていない。
【課題を解決するための手段】
【０００８】
本考案は、このような従来技術における課題を解消すべく検討を重ねて創案されたものであって、ノック操作による動作を利用してキャラクター部材の可動部を可動変化するものでありながら、しかも該キャラクター部材自体を筆記軸頂端から任意に着脱可能なものとすることを提案するものであって、具体的には以下の如くである。
【０００９】
（１）筆記軸横の操作部によって筆記部の出没操作を行うサイドノック式のボールペンやシャープペンシルといった筆記用具において、操作部の上下ノック操作に起因する動作を筆記軸内部の伝達機構によって筆記軸頂端に着脱自在として取付けられたキャラクター部材の内部に設けた動作伝達機構に伝え、それによってキャラクターに備付けられた可動部を可動変化できるものとしていることを特徴とする着脱自在な可動キャラクター部材を備えたサイドノック式筆記用具。
【００１０】
（２）キャラクターに備付けられた可動部が複数個あることを特徴とする前記（１）項に記載の着脱自在な可動キャラクター部材を備えたサイドノック式筆記用具。
【００１１】
（３）取外されたキャラクター部材が携帯電話等用のマスコットストラップとなるように取付け紐部材をも備えていることを特徴とする前記（１）項または（２）項に記載の着脱自在な可動キャラクター部材を備えたサイドノック式筆記具。
【実施例】
【００１２】
このような本考案の具体的な実施例の若干を添付図面などを利用して説明する。
すなわち、図１は本考案の１例についての外観図である。本考案の筆記用具１はクリップ部と兼用の操作部２を上下にノック操作することで筆記部３を出没させることができるサイドノック式筆記用具である。
【００１３】
ここで、操作部２の上下動作が筆記部３を出没操作するだけではなく筆記軸頂端に取付けられたキャラクター部材４の適宜な可動部５をも可動操作可能なものであるという関係は従来技術における同種品と同じである。すなわち、操作部２の上下動作を筆記軸内部の動作伝達機構６によってキャラクター部材４の可動部５に伝達して可動変化の動作を実現するものであり、具体的に採用する機構としては公知の同種機構と基本的に同じものである。
【００１４】
ただし、本考案においては図１にあるようにこのキャラクター部材４が筆記軸頂端部から任意に着脱できるようになっている点に独自の特徴を有しているものである。すなわち、図示のものにおいては、椅子に座った状態のキャラクター部材４が椅子から降りてキャラクター部材４のみを取外すことが可能なようになっているものである。
【００１５】
また、キャラクター部材４における可動部５は１つに限られるわけではない。すなわち、図示の場合においてもキャラクター部材４の腕部分５ａだけではなく目部分５ｂもノック動作に起因して上下に動作するような構成が採用されているのである。つまり、操作部２のノック動作を、伝達機構６を介して受けて可動変化する可動部５であれば、その数や可動手法などにおいて可能なヴァリエーションを採ることが認められるのである。
【００１６】
また、筆記軸頂端部から取外されたキャラクター部材４はアクセサリー的な要素をも含んだものであるので、連結用紐部材７により携帯電話等に取付けてマスコットストラップとして活用することも可能である。
【００１７】
さらに、本考案において特徴的なのはノック動作に起因した可動変化を筆記軸頂端部に対して着脱自在なキャラクター部材４の適宜な可動部５に対して実現させることであるが、キャラクター部材４において実現される可動変化は操作部２のノック動作に起因するものでなくても構わない。つまり、図示のような場合においてもキャラクター部材４が座っている椅子８も筆記用具１を振ってやることで揺り椅子のような動きをするようになっており、さらにキャラクター部材４の足部分９も椅子８に座った状態では前に投げ出されたような状態となっているが、椅子８から取外すと自然に垂れ下がって揺れ動くような構成とされている。
【００１８】
図２は、上記してきたような本考案における可動関係を実現するための構造の１例を断面透視図的に示した説明図面である。すなわち、まず、クリップ部を兼ねた操作部２に対する上下のサイドノック動作は、従来から公知の手法によって筆記軸内部のカム１０の回転動作に変換される。
【００１９】
次いで、このカム１０の回転動作を受けて筆記軸内部の伝達棒部材１１が上下に動作しその上端部分１１ａが筆記軸頂端部のキャラクター連結部１２において出没動作することになる。
【００２０】
キャラクター連結部１２において嵌め込み式に取付けられたキャラクター部材４は伝達棒部材上端部分１１ａの上下の出没動作をキャラクター部材内伝達棒部材１３の上下動作として受け、これが腕部分５ａや目部分５ｂの動作に伝達・変換されて可動変化を実現するものである。
【００２１】
なお、キャラクター部材内伝達棒部材１３の上下動作を各種可動部の可動変化に変換する手法は従来公知のものを採用すれば十分である。
【００２２】
また、椅子８の揺り椅子状の動作やキャラクター足部分９の上記したような可動変化が実現されることも図２の各構造図を参照すれば容易に理解できるところとなっている。
【００２３】
以上説明したように本考案によるときは、サイドノック方式の筆記用具１の筆記軸頂端に取付けたキャラクター部材４をノック動作に起因してさまざまに可動変化させると共に、該キャラクター部材４を自由に取外すこともできるようになるので、これを取外して携帯電話のマスコットストラップに応用したり、他のアクセサリーと利用したりすることが任意に実現可能で、需要者の興味を惹く新たは商品展開の可能性を開くものであって、産業上の利用可能性において優れた考案となっているものである。
【図面の簡単な説明】
【００２４】
【図１】本考案の筆記用具の外観を示す説明図面である。
【図２】本考案の筆記用具について、その内部構造の１例を示す断面図的透視図である。
【符号の説明】
【００２５】
１    本考案の筆記用具
２    クリップ部兼用操作部
３    筆記部
４    キャラクター部材
５    可動部
５ａ    腕部分
５ｂ    目部分
６    伝達機構
７    連結用紐部材
８    椅子
９    足部分
１０    カム
１１    伝達棒部材
１１ａ    その上端部
１２    キャラクター連結部
１３    キャラクター部材内伝達棒部材
【図１】
0003107513.tif 000003
【図２】
0003107513.tif 000004